(57)【要約】      （修正有）【課題】立体効果を形成させるハンドバッグ構造を提供する。【解決手段】主に織物１に形成される収納空間の内面に対応する箇所にクッション２が敷設され、且つクッションは織物の内面に対向する一面に粘着層２１が設けられて織物の内面に粘着されて固定される。このように、織物の内面に結合されるクッションが設置され、織物を支持させて立てさせることで、ハンドバッグの外観に立体感を持たせる。これにより、使用者が持った際に優雅でおしゃれに見えるだけでなく、ハンドバッグ内に入れられた物品を取り出すのが便利になる等の効果をさらに達成させる。【選択図】図３
0003199424.tif 000002
【実用新案登録請求の範囲】
【請求項１】
内部に収納空間が成型される織物が設けられ、前記織物に形成される収納空間の内面に対応してクッションが敷設され、前記クッションの前記織物の内面に対向する一面には粘着層が設けられて前記織物の内面への粘着に用いられ、前記クッションを前記織物に固結させることを特徴とする、
ハンドバッグ構造。
【請求項２】
前記ハンドバッグ構造は、前記クッションを被覆させる裏地をさらに備え、前記織物に固結され、前記クッションが前記織物と前記裏地との間に被覆されることを特徴とする、請求項１に記載のハンドバッグ構造。
【請求項３】
前記ハンドバッグ構造は、前記織物の収納空間の開口箇所に装設される密封部材をさらに備えることを特徴とする、請求項１に記載のハンドバッグ構造。
【考案の詳細な説明】
【技術分野】
【０００１】
本考案は、織物の内面に対応して結合されるクッションを有し、立体効果を形成させるハンドバッグ構造に関する。
【背景技術】
【０００２】
人々の生活水準が向上するにつれて、ハンドバッグに対する要求も、身の回りの物を入れる機能のみならずに、着用する衣服に合わせられるように装飾性が求められている。このため、業者では表面に真珠やスパンコール等の飾り材料を飾り付けたハンドバッグを開発した。
図４は「真珠のハンドバッグ」と呼ばれるハンドバッグ５である。製造には主に糸材により球体物、環状物、或いはスパンコール等を穿設させ、鉤針編みでハンドバッグ５形状の織物を編み上げる。一般的なハンドバッグ５では、繊度に合わせて織物の内面に裏地を縫い付ける。
【考案の概要】
【考案が解決しようとする課題】
【０００３】
しかしながら、前記ハンドバッグ５の織物５１及び裏地等は共に軟性材質であるため、ハンドバッグ５が撓んだり潰れたりして美観が欠乏した。また、撓んだり潰れたハンドバッグ５では内部の物品が見えにくくなり、ハンドバッグ５内の物品を探すのが不便であった。
【０００４】
そこで、本考案者は上記の欠点が改善可能と考え、鋭意検討を重ねた結果、合理的かつ効果的に課題を改善する本考案の提案に到った。
【０００５】
本考案は、以上の従来技術の課題を解決する為になされたものである。即ち、本考案の目的は、ハンドバッグを提供する。
【課題を解決するための手段】
【０００６】
上述した課題を解決し、目的を達成するために、本考案に係るハンドバッグは、織物が設けられ、且つ前記織物内部には収納空間が成型され、また、前記織物に形成される収納空間の内面に対応するクッションが敷設される。前記クッションは前記織物の内面に対向する一面に粘着層が設けられて前記織物の内面に粘着され、前記クッションを前記織物に固結させることを特徴とする。
【考案の効果】
【０００７】
本考案は、織物の内面に対応するクッションが敷設されて結合され、前記クッションにより織物を支持させて立てさせることで、ハンドバッグの外観に立体感を与える。これにより、使用者が優雅でおしゃれに見えるのみならず、ハンドバッグ内に入れられた物品の取り出しが便利になる。
【図面の簡単な説明】
【０００８】
【図１】本考案に係るハンドバッグを示す展開図である。
【図２】本考案に係るハンドバッグを示す外観斜視図である。
【図３】本考案に係るハンドバッグを示す部分の拡大の断面図である。
【図４】従来のハンドバッグの外観斜視図である。
【考案を実施するための形態】
【０００９】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１０】
以下、本考案の実施形態を図１〜３に基づいて説明する。本考案に係るハンドバッグは主に織物１と、クッション２と、裏地３と、密封部材４とを備える。前記織物１は毛糸、レース、紡績糸、或いは和紙等の内の何れか１つの糸材１２を鉤針編みすることで形成される。また、前記糸材１２には複数の球状、環状、或いは片状を呈する飾り材料１３がさらに穿設される。前記飾り材料１３は真珠、プラスチック、金属、石材等で製造される球体物、環状物、ないしはスパンコール等の片状物等である。前記織物１内部には収納空間１１が形成される。
【００１１】
また、前記クッション２はスポンジ等の発泡材であり、前記クッション２により前記織物１が収納空間１１を具備させて内面に相等の面積が形成される。前記クッション２は前記織物１の内面に位置が合わせられると共に前記織物１の収納空間１１の内面に対応して敷設され、且つ前記クッション２の前記織物１の内面に対向する一面には粘着層２１が設けられる。前記粘着層２１は両面接着テープ或いは両面接着剤の内の何れか１つであり、前記織物１に形成される収納空間１１の内面が前記クッション２の粘着層２１を有する一面に貼付されて結合され、クッション２が織物１に固定される。
【００１２】
なお、前記裏地３は不織布等であり、前記裏地３は前記織物１に形成される収納空間１１内に設けられ、且つ前記裏地３はクッション２に被覆される。また、織物１に縫い付けられて固定され、前記クッション２が前記織物１と裏地３との間に被覆される。
【００１３】
さらに、前記密封部材４はファスナー、ボタン、或いは口金（ｍｅｔａｌ  ｆｒａｍｅ）等であり、前記密封部材３は前記織物１の収納空間１１の開口箇所に装設される。
【００１４】
これにより、装設される際に、クッション２に粘着層２１が設けられるため、クッション２が織物１に粘着されて固定され、前記スポンジ等の発泡材のクッション２がその弾性により原状を回復するのを防ぎ、ハンドバッグの装設に影響が及ばず、ハンドバッグの装設の利便性を向上させ、製造に掛かる時間を節約させる。また、クッション２に設けられる粘着層２１によりクッション２を織物１に粘着させて一体化させる設計により、使用時にクッション２が織物１からずれなくなり、クッション２の織物１に対する支持の安定性を確保させ、ハンドバッグの立体感を長時間維持させ、撓ませない効果を達成させる。
【００１５】
また、本考案に係るハンドバッグ構造の外層に複数の真珠やスパンコール等の飾り材料１３が穿設されて編み込まれることで織物１が華やかになり、使用者が流行に合わせてファッショナブルに着飾ることができる。また、ハンドバッグの織物１の内面にクッション２が敷設されて織物１を支持させて立体感を出すため、ハンドバッグの外観が撓んだり潰れたりせず、優雅でおしゃれになる。
【００１６】
本考案に係るハンドバッグは織物１に貼付されるクッション２により支持され、ハンドバッグが立体的になり、撓んだり潰れたりせず、これにより、密封部材４の箇所でハンドバッグを開けた際に、使用者がハンドバッグ内に入った物品を見易くなり、必要な物品を取り出し易くなる。ハンドバッグ内を手で漁って物品を探し出す必要がなくなり、ハンドバッグ内の物品の取り出しが便利になる。
【００１７】
本考案のハンドバッグは立体感があり、撓んだり潰れたりしない設計により、ハンドバッグのデザインを向上させて、使用時にファッション性や利便性を向上させ、ハンドバッグの美観を向上させる美しい織物１を利用することで、全体的に装飾が施されたおしゃれで優雅なハンドバッグを求める女性消費者の興味を惹いて購買意欲を高め、ハンドバッグ産業の競争力を高める等の効果を達成させる。
【００１８】
本明細書に開示された実施例は、本考案を限定するものではなく、説明するためのものであり、このような実施例によって本考案の思想と範囲が限定されるものではない。本考案の範囲は請求の範囲により解釈すべきであり、それと同等の範囲内にある全ての技術は、本考案の権利範囲に含まれるものと解釈すべきである。
【符号の説明】
【００１９】
１    織物
１１  収納空間
１２  糸材
１３  飾り材料
２    クッション
２１  粘着層
３    裏地
４    密封部材
５    ハンドバッグ
５１  織物
【図１】
0003199424.tif 000003
【図２】
0003199424.tif 000004
【図３】
0003199424.tif 000005
【図４】
0003199424.tif 000006